(57)【要約】【課題】一度、係合させたループ状係合部が離脱し難く、部材同士の接続を安定に維持できるストラップ接続具を提供する。【解決手段】第１の部材に固定されているストラップ１１０を、第２の部材に形成したループ状係合部１２０に係脱自在に接続するための接続具１であって、前記ストラップが接続される第１接続部２と、前記ループ状係合部が接続される第２接続部３とを備え、前記第２接続部３には、前記ループ状係合部を受入れる受入凹部６が形成されていると共に、前記受入凹部６の外周の一部を切欠いて前記ループ状係合部を当該受入凹部へ導入するための導入通路７が形成されており、前記導入通路に、前記受入凹部内に収容した前記ループ状係合部の離脱を防止する離脱防止構造が複数段に設けられている。【選択図】    図１
2007135853.tif 000002
【特許請求の範囲】
【請求項１】
第１の部材に固定されているストラップを、第２の部材に形成したループ状係合部に係脱自在に接続するための接続具であって、
前記ストラップが接続される第１接続部と、前記ループ状係合部が接続される第２接続部とを備え、
前記第２接続部には、前記ループ状係合部を受入れる受入凹部が形成されていると共に、前記受入凹部の外周の一部を切欠いて前記ループ状係合部を当該受入凹部へ導入するための導入通路が形成されており、
前記導入通路に、前記受入凹部内に収容した前記ループ状係合部の離脱を防止する離脱防止構造が複数段に設けられている、ことを特徴とするストラップ接続具。
【請求項２】
第１の部材に固定されているストラップを、第２の部材に形成したループ状係合部に係脱自在に接続するための接続具であって、
前記ストラップが接続される第１接続部と、前記ループ状係合部が接続される第２接続部とを備え、
前記第２接続部には、前記ループ状係合部を受入れる受入凹部が形成されていると共に、前記受入凹部の外周の一部を切欠いて前記ループ状係合部を当該受入凹部へ導入するための導入通路が形成されており、
前記導入通路に、前記受入凹部内に収容した前記ループ状係合部の離脱を防止する離脱防止構造が設けられ、
前記離脱防止構造が、前記ループ状係合部の離脱を防止するように前記切欠の一端を湾曲形成した鉤部と、前記鉤部に対応して前記切欠の他端を湾曲させて形成される前記導入通路とを含む、ことを特徴とするストラップ接続具。
【請求項３】
前記第１接続部は、前記ストラップの長さを調整可能とするためのアジャスタ機構を更に含んでいる、ことを特徴とする請求項１又は２記載のストラップ接続具。
【請求項４】
請求項１から３のいずれかに記載のストラップ接続具がストラップに予め接続されている胸部用パッド。
【請求項５】
請求項４に記載の胸部用パッドが装着されたブラジャー。
【発明の詳細な説明】
【技術分野】
【０００１】
本発明は、部材を接続するときに使用するストラップ接続具に関する。
【背景技術】
【０００２】
例えば衣料品、日用品などの分野では、紐（ストラップ）を介して２つの部材（異なる物である場合、同じ物の分離した部分である場合などがある）を接続する構造が多々見受けられる。例えば、このような構造ではそれぞれの側に紐が固定されており、必要に応じて紐を結び、紐を解くことで異なる部材同士を接続し、また分離できる。このように紐を用いる接続は、簡単で便利な構造といえる。しかし、この構造は紐を結ぶ動作が面倒であり、また紐の結び方が確りしていないと解けてしまったり、結び方によって間隔が変動するという欠点がある。
【０００３】
この点を改良したのが接続具を用いた接続構造であり、従来から種々の形態のものが提案されている。例えば、特許文献１はブラジャーの内側に止具（ストラップ接続具）を用いて装着する胸部パッドについて開示している。このようにストラップ接続具を用いて胸部パッドをブラジャーに対して着脱自在に構成しておくと、好みのブラジャーと胸部パッドとを自由に組合せることができる。また、ストラップ接続具を用いるので、ブラジャーへの取付けを簡易かつ確実に行えるので便利である。
【０００４】
【特許文献１】特開平９−１５７９１３号公報
【発明の開示】
【発明が解決しようとする課題】
【０００５】
図５は、特許文献１で示す胸部パッドなどで広く使用されている一般的なストラップ接続具１００を拡大して示した模式図である。図５（Ａ）は、胸部パッド側のストラップ１１０に予め接続されているストラップ接続具１００を、ブラジャー側に形成したループ状の係合部（以下、ループ状係合部）１２０に引っ掛ける様子を示している。また、図５（Ｂ）は、（Ａ）におけるＸ−Ｘ矢視図であり、ストラップ１１０とループ状係合部１２０とがストラップ接続具１００によって接続されたときの様子を示している。
【０００６】
図５で示すように、ストラップ接続具１００はストラップ１１０に接続される部分（第１接続部という）１０１とループ状係合部１２０に接続される部分（第２接続部という）１０２とを具備した構造になっている。胸部パッドのストラップ１１０は容易に離脱しないように第１接続部１０１に接続される。一方、ブラジャー側のループ状係合部１２０については必要に応じて係合させ、また離脱させることができるように第２接続部１０２が形成されている。第２接続部１０２にはループ状係合部１２０を受入れる受入凹部１０４の一部を切欠いて導入通路１０３が設けてある。この導入通路１０３を介してループ状係合部１２０が係脱される。
【０００７】
この図で示すように、胸部パッド側のストラップ１１０にストラップ接続具１００を予め接続しておくと、ブラジャー側のループ状係合部１２０に簡単に接続できる。そして、図示している様に切欠いた部分の端部１０３ａを鉤状（フック状）に折り曲げることで、受入凹部１０４内に受け入れたループ状係合部１２０が容易に離脱させないように離脱防止する構造が付加されたものも提供されている。
【０００８】
しかしながら、このように端部１０３ａを鉤状に湾曲させただけでは、ループ状係合部１２０の端が鉤状の端部１０３ａから外れたときに、ループ状係合部１２０が受入凹部１０４から容易に離脱してしまう場合がある。ブラジャー内の胸部パッドの止め部分が外れてしまうと、装着している女性が不愉快であり製品の信頼を失うことにもなる。下着用ブラジャーの場合には、女性の動きが穏やかであるのでストラップ接続具１００がループ状係合部１２０から離脱してしまう事態の発生は相対的に少ない。しかし、水着用ブラジャーの場合には多方向から外力を受けることになるので、ストラップ接続具１００がループ状係合部１２０から離脱し易くなる。そして、水着用ブラジャーの場合に胸部パッドの止め部分が外れてしまうことは女性にとってより不愉快な問題となる。
【０００９】
そこで、本発明の主な目的は、上述した従来の課題を解決し、一度、係合させたループ状係合部が離脱し難く、部材同士の接続を安定に維持できるストラップ接続具を提供することである。
【課題を解決するための手段】
【００１０】
上記目的は、第１の部材に固定されているストラップを、第２の部材に形成したループ状係合部に係脱自在に接続するための接続具であって、前記ストラップが接続される第１接続部と、前記ループ状係合部が接続される第２接続部とを備え、前記第２接続部には、前記ループ状係合部を受入れる受入凹部が形成されていると共に、前記受入凹部の外周の一部を切欠いて前記ループ状係合部を当該受入凹部へ導入するための導入通路が形成されており、前記導入通路に、前記受入凹部内に収容した前記ループ状係合部の離脱を防止する離脱防止構造が複数段に設けられているストラップ接続具によって達成できる。
【００１１】
本発明によると、離脱防止構造が複数段に設けられているので、一度、受入凹部に係合させたループ状係合部が容易に離脱することがない。よって、信頼性の高いストラップ接続具として提供できる。
【００１２】
また、上記目的は、第１の部材に固定されているストラップを、第２の部材に形成したループ状係合部に係脱自在に接続するための接続具であって、前記ストラップが接続される第１接続部と、前記ループ状係合部が接続される第２接続部とを備え、前記第２接続部には、前記ループ状係合部を受入れる受入凹部が形成されていると共に、前記受入凹部の外周の一部を切欠いて前記ループ状係合部を当該受入凹部へ導入するための導入通路が形成されており、前記導入通路に、前記受入凹部内に収容した前記ループ状係合部の離脱を防止する離脱防止構造が設けられ、前記離脱防止構造が、前記ループ状係合部の離脱を防止するように前記切欠の一端を湾曲形成した鉤部と、前記鉤部に対応して前記切欠の他端を湾曲させて形成される前記導入通路とを含むストラップ接続具によっても達成できる。
【００１３】
本発明によると、湾曲形成した鉤部と、湾曲させて形成されている前記導入通路とにより、離脱防止構造が実現されているので、一度、受入凹部に係合させたループ状係合部が容易に離脱することがない。よって、信頼性の高いストラップ接続具として提供できる。
【００１４】
そして、前記第１接続部は、前記ストラップの長さを調整可能とするためのアジャスタ機構を更に含んでいる構造であることがより好ましい。
【００１５】
上記のストラップ接続具がストラップに予め接続されている胸部用パッドは、一度、ブラジャーに装着すると離脱することを確実の防止できる。よって、信頼性の高い製品となる。同様に上記に記載の胸部用パッドが装着されたブラジャーについても、信頼性のある高品質な製品として提供できる。
【発明の効果】
【００１６】
本発明によると、係合させたストラップが離脱し難く、部材同士の接続を安定に維持できるストラップ接続具を提供できる。
【発明を実施するための最良の形態】
【００１７】
以下、図面を参照して本発明の一実施形態に係るストラップ接続具について説明する。ここではストラップ接続具を胸部パッドに採用して、ブラジャーに着脱自在とした場合の具体例について説明する。
【実施例１】
【００１８】
図１は、実施例１に係るストラップ接続具１を拡大して示した図であり、（Ａ）はストラップ接続具１の平面図、（Ｂ）は（Ａ）におけるＡ−Ａ矢視図であり、胸部パッド側のストラップとブラジャー側のループ状係合部とを接続したときの状態を示している。
【００１９】
ストラップ接続具１は、胸部パッド側のストラップ１１０を接続するための第１接続部２と、ブラジャー側のループ状係合部１２０を接続するための第２接続部３とを一体に形成した平板状の構造を成している。このようなストラップ接続具１は、例えば真鍮、ステンレスなどの金属を用いて作製することが好ましい。ブラジャー、パッドなどの衣類は、製品完成後に縫い針が残っていないか検針装置で検査されるので、この検針装置で検出されない金属材で製造しておくのが好ましい。また、樹脂材によって本ストラップ接続具１を作製することも可能であるが、強度の点から金属材を採用することがより好ましい。
【００２０】
ストラップ接続具１の第１接続部２側には、２つの長穴４，５が形成されている。これらの長穴４，５には、図１（Ｂ）で示すようにストラップ１１０が折り返すように挿通される。このように長穴を２個形成しておくと、ストラップ１１０をストラップ接続具１に位置決めする箇所を任意に調整できる。すなわち、このストラップ接続具１はストラップ１１０の長さを調整できるアジャスタ機構付きの構造となっている。なお、アジャスタ機能が不要である場合には、第１接続部２側に長穴４を１個だけ形成して、例えば矢印Ｒの部分で点線で示すようにストラップ１１０同士を縫付けてもよい。
【００２１】
一方、第２接続部３は、ブラジャー側のループ状係合部１２０を受け入れる受入凹部６が形成されている。この受入凹部６は、第１接続部２の長穴４，５と同様の形状である。これは板状の金属部材を打ち抜き加工等することにより形成されている。ただし、この受入凹部６は、長穴４、５とは異なり、外周（受入凹部を画定する周壁）の一部が切り欠かれて導入通路７が形成されている。ループ状係合部１２０は、この導入通路７を介して受入凹部６に導入されて係合状態とされる。
【００２２】
ここで、導入通路７は、従来とは異なる形状に形成されている。すなわち、切欠いた一方の端部７ａは従来と同様に湾曲した鉤状に形成されている点は従来と同様であるが、その端部７ａは反対側の端部７ｂを押し込むように長めに形成されている。そして、これに対応して、反対側の端部７ｂは窪んだ状態となっている。その結果、両端部７ａ、７ｂの間に形成される導入通路７は、従来と異なり屈曲された通路となっている。
【００２３】
このように、導入通路７が屈曲されると、ループ状係合部１２０の端が鉤状に形成した端部７ａから外れた場合でも、これを機会に外れることがない。すなわち、図１で示している構造は、まず鉤状に形成した端部７ａでループ状係合部１２０の離脱を防止し、その後側で屈曲している導入通路７によりループ状係合部１２０の離脱をさらに防止するという複数段（この例では２段）の離脱防止構造になっている。よって、本実施例のストラップ接続具１は、一度、受入凹部６に係合させたループ状係合部１２０の離脱を確実に防止できる。
【００２４】
図２は、ストラップの端部に上記ストラップ接続具１が予め接続してある胸部パッドの例を示した図である。図２（Ａ）は片側ずつ装着するタイプの胸部パッド１０、同（Ｂ）は両方同時に装着するタイプの胸部パッド１１を示している。これらの胸部パッド１０、１１は、上記ストラップ接続具１を介してブラジャーにセットされるので簡単に接続を行うことができ。そして、一度、ブラジャーに装着（セット）すると、外れ難い安定した胸部パッドとして提供できる。
【００２５】
図３は、図２（Ｂ）で示したタイプの胸部パッド１１をブラジャー２０に装着する様子を示した図である。このようなブラジャー２０の所定位置には前述したループ状係合部１２０が予め形成されている。よって、胸部パッド１１のストラップ１１０の端部に接続してあるストラップ接続具１の受入凹部６にループ状係合部１２０を係合させるだけで、簡単に胸部パッド１１を装着できる。そして、一度、装着した胸部パッド１１はストラップ接続具１を用いているので離脱しない。よって、着脱自在な胸部パッドを採用するブラジャーは安心して使用できる信頼性の高い製品として提供できる。
【実施例２】
【００２６】
図４は、実施例２に係るストラップ接続具について示した図である。（Ａ）はストラップ接続具の平面図、（Ｂ）は（Ａ）におけるＢ−Ｂ矢視図であり、胸部パッド側のストラップとブラジャー側のループ状係合部とを接続したときの状態を示している。図１に示した実施例１のストラップ接続具１と同様の部位には同じ符号を付している。本実施例２のストラップ接続具８は、実施例１のストラップ接続具１と比較すると受入凹部９が追加された構造であり、左右対称に形成されている。よって、どちらの側でもループ状係合部１２０に係合させる側とすることができる。このストラップ接続具８は、向きを気にすることなく挿通作業を行うことができるので、作業性が向上する。
【００２７】
図示のように、反対側の受入凹部９にいては、ストラップ１１０を係合させることで、より確実に固定できる。この受入凹部９も受入凹部６と同様に形成され導入通路を備えるので、ストラップ１１０を係合させるのに手間取ることが無く、また係合させたストラップ１１０を安定に維持することができる。
【００２８】
上記実施例ではストラップ接続具を胸部パッド側のストラップに予め接続しておき、ブラジャーに装着する場合について例示したが、本発明に係るストラップ接続具の使用形態はこれに限るものではない。一対の胸部パッドを接続する部分に、本発明のストラップ接続具を用いてもよい。この場合には、片側の胸部パッドにループ状係合部を形成すればよい。そして、本発明に係るストラップ接続具は上記のようにブラジャーなどの衣類に好適に使用できるものであるが、これに限定するものではない。カバンのストラップ部分などに適用してもよい。
【００２９】
以上本発明の好ましい一実施形態について詳述したが、本発明は係る特定の実施形態に限定されるものではなく、特許請求の範囲に記載された本発明の要旨の範囲内において、種々の変形・変更が可能である。
【図面の簡単な説明】
【００３０】
【図１】実施例１に係るストラップ接続具を拡大して示した図であり、（Ａ）はストラップ接続具の平面図、（Ｂ）は（Ａ）におけるＡ−Ａ矢視図である。
【図２】上記ストラップ接続具を採用した胸部パッドの例を示した図である。
【図３】図２（Ｂ）で示したタイプの胸部パッドをブラジャーに装着する様子を示した図である。
【図４】実施例２に係るストラップ接続具について示した図である。
【図５】従来のストラップ接続具について示した図である。
【符号の説明】
【００３１】
１、８                  ストラップ接続具
２                      第１接続部
３                      第２接続部
４、５                  長穴
６                      受入凹部
７                      導入通路
１０、１１              胸部パッド（第１の部材）
２０                    ブラジャー（第２の部材）
１１０                  ストラップ
１２０                  ループ状係合部
【図１】
2007135853.tif 000003
【図２】
2007135853.tif 000004
【図３】
2007135853.tif 000005
【図４】
2007135853.tif 000006
【図５】
2007135853.tif 000007